(57)【要約】【課題】  安全性の高い無線データ通信についての新たな考察が必要である。【解決手段】  データ伝送装置１００の電灯線通信部１０６は、電灯線を利用した閉域のネットワーク内にて他のデータ伝送装置１００の機器ＩＤを取得する。認証部１１４は、電灯線通信部１０６により取得された他のデータ伝送装置１００の機器ＩＤに基づいて、無線データ通信を許可する他のデータ伝送装置１００を特定する。無線部１０４は、電灯線通信部１０６により許可された他のデータ伝送装置１００との間で無線データ通信を行う。機密性の高い閉域のネットワークを利用して許可されたデータ伝送装置１００との間で無線データ通信を行うため、無線データ通信の安全性を高めることができる。【選択図】  図１
2005341094.tif 000002
【特許請求の範囲】
【請求項１】
電灯線を利用した閉域のネットワーク内にて他のデータ伝送装置の機器情報を取得する電灯線通信部と、
前記取得された他のデータ伝送装置の機器情報に基づいて、無線データ通信を許可する他のデータ伝送装置を特定する認証部と、
前記認証部により特定された他のデータ伝送装置との間で無線データ通信を行う無線部と、
を備えることを特徴とするデータ伝送装置。
【請求項２】
前記他のデータ伝送装置の機器情報を保持する保持部をさらに備え、
前記認証部は、前記保持部に保持された他のデータ伝送装置の機器情報に基づいて、前記無線データ通信を許可する他のデータ伝送装置を特定することを特徴とする請求項１に記載のデータ伝送装置。
【請求項３】
複数のデータ伝送装置と、前記複数のデータ伝送装置からの複数の電灯線を集合する分電装置とを備え、前記分電装置と前記複数の電灯線で閉域のネットワークを構成するデータ伝送システムであって、
前記分電装置は、外部の電力線と電気的に接続されており、前記データ伝送装置の機器情報の前記外部の電力線への漏洩を遮断するフィルタを備えることを特徴とするデータ伝送システム。
【請求項４】
複数の電灯線を集合して閉域のネットワークを構成し、前記閉域のネットワークと外部の電力線とを電気的に接続する分電装置であって、前記閉域のネットワークに接続される機器の機器情報の外部への漏洩を遮断するフィルタを備えることを特徴とする分電装置。
【請求項５】
電灯線を利用した閉域のネットワーク内にて他のデータ伝送装置の機器情報を取得するステップと、
前記取得された他のデータ伝送装置の機器情報に基づいて、無線データ通信を許可する他のデータ伝送装置を特定するステップと、
前記特定された他のデータ伝送装置との間で無線データ通信を行うステップと、
を有することを特徴とするデータ伝送方法。
【発明の詳細な説明】
【技術分野】
【０００１】
この発明は、家庭内やオフィス内など限られた環境にて、無線を利用したデータ通信を行うデータ伝送システム、そのデータ伝送システムにおけるデータ伝送装置および分電装置、およびデータ伝送方法に関する。
【背景技術】
【０００２】
近年、家庭内の複数の家電製品や住宅設備機器を相互に接続してデータの送受信を可能にするホームネットワークが広く普及している。ホームネットワークの例として、パーソナルコンピュータやプリンタを、有線ケーブルを使わずに相互に接続し、電波や光などの無線でデータ通信（以下、単に「無線データ通信」という）を行う無線ＬＡＮ（Local Area Network）がある。この無線ＬＡＮによれば、ケーブルレスでスマートな通信環境を実現できる。
【０００３】
無線データ通信が行われる際、システム側は、どのような機器が接続されているかどうかを正確に管理する必要がある。例えば、特許文献１では、ホームネットワークのシステム側が機器の識別符号を一意に決定し、無線を介してその識別符号を機器毎に付与する技術が開示されている。
【特許文献１】特開２００３−８５７６号公報
【発明の開示】
【発明が解決しようとする課題】
【０００４】
確かに特許文献１によれば、システム側は、固有の識別符号を、無線を介して機器毎に付与することで、各機器を認識することができるが、無線データ通信の安全性を意識したものではなく、それについての新たな考察が必要である。
【０００５】
本発明はこうした課題に鑑みてなされたものであり、その目的は、安全性の高い無線データ通信を実現するデータ伝送システム、そのデータ伝送システムにおけるデータ伝送装置および分電装置、およびデータ伝送方法の提供にある。
【課題を解決するための手段】
【０００６】
本発明のある態様は、データ伝送装置に関する。この装置は、電灯線を利用した閉域のネットワーク内にて他のデータ伝送装置の機器情報を取得する電灯線通信部と、取得された他のデータ伝送装置の機器情報に基づいて、無線データ通信を許可する他のデータ伝送装置を特定する認証部と、認証部により特定された他のデータ伝送装置との間で無線データ通信を行う無線部とを備える。この態様によれば、機密性の高い閉域のネットワーク内の機器情報をもとに許可されたデータ伝送装置との間で無線データ通信を行うため、無線データ通信の安全性を高めることができる。
【０００７】
この装置は、他のデータ伝送装置の機器情報を保持する保持部をさらに備え、認証部は、保持部に保持された他のデータ伝送装置の機器情報に基づいて、無線データ通信を許可する他のデータ伝送装置を特定してもよい。
【０００８】
本発明の別の態様は、データ伝送システムに関する。このシステムは、複数のデータ伝送装置と、複数のデータ伝送装置からの複数の電灯線を集合する分電装置とを備え、分電装置と複数の電灯線で閉域のネットワークを構成するデータ伝送システムであって、分電装置は、外部の電力線と電気的に接続されており、データ伝送装置の機器情報の外部の電力線への漏洩を遮断するフィルタを備える。この態様によれば、機器情報の外部への漏洩を抑制できるため、閉域のネットワークの機密性を高めることができる。
【０００９】
本発明のさらに別の態様は、分電装置に関する。この装置は、複数の電灯線を集合して閉域のネットワークを構成し、閉域のネットワークと外部の電力線とを電気的に接続する分電装置であって、閉域のネットワークに接続される機器の機器情報の外部への漏洩を遮断するフィルタを備える。この態様によれば、機器情報の外部への漏洩を抑制できるため、閉域のネットワークの機密性を高めることができる。
【００１０】
本発明のさらに別の態様は、データ伝送方法に関する。この方法は、電灯線を利用した閉域のネットワーク内にて他のデータ伝送装置の機器情報を取得するステップと、取得された他のデータ伝送装置の機器情報に基づいて、無線データ通信を許可する他のデータ伝送装置を特定するステップと、特定された他のデータ伝送装置との間で無線データ通信を行うステップと、を有する。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によれば、安全性の高い無線データ通信を実現できる。
【発明を実施するための最良の形態】
【００１３】
実施の形態１
図１は、本実施の形態に係るデータ伝送装置１００の構成を示す。この装置は、他のデータ伝送装置１００との間で、ＡＶ（Audio Visual）データやテキストデータなどの情報信号の無線による送受信処理、すなわち無線データ通信を行う。ＡＶデータは、画像データや音声データを含むデータである。データ伝送装置１００は、ＡＶ入出力部１０２と、無線部１０４と、電灯線通信部１０６と、機器ＩＤ保持部１０８と、赤外線受光部１１０と、赤外線送信部１１２と、認証部１１４と、暗号部１１６と、復号部１１８と、制御部１５０とを備える。
【００１４】
ＡＶ入出力部１０２は、データ伝送装置１００外部のＡＶ機器２００との間で、ＡＶデータのやりとりを行う。ＡＶ機器２００は、データ伝送装置１００ごとに設けられる。ＡＶ機器２００は、例えばテレビジョン受像機、ビデオテープレコーダーやレーザーディスクプレーヤを指す。ＡＶデータのやりとりの対象は、上述のＡＶ機器２００に限らず、ＡＶデータの認識可能な機器であればよく、例えばパーソナルコンピュータやゲーム機器であってもよい。
【００１５】
無線部１０４は、探索信号を無線で送出することにより、無線データ通信が可能である他のデータ伝送装置１００を探索する。最初の探索処理は、データ伝送装置１００の電源プラグ１２が図示しないコンセントに差し込まれたとき、すなわち、データ伝送装置１００に最初に電力が供給されたときに行われる。以降の探索処理は、データ伝送装置１００に電力が供給されている間、所定の時間毎に繰り返し実行される。繰り返し探索処理が行われることで、他のデータ伝送装置１００が、現在も無線データ通信が可能な状態にあるか否かを確認することができる。探索処理の後、無線部１０４は、自身が有するアンテナ１０を用いて、後述する認証部１１４により無線データ通信が許可された他のデータ伝送装置との間で、無線データ通信を行う。
【００１６】
電灯線通信部１０６は、データ伝送装置１００の電源プラグ１２がコンセントに差し込まれている間、電灯線を利用した閉域のネットワーク（以下、単に「電灯線ネットワーク」という）内にてデータ通信（以下、単に「電灯線データ通信」という）を行う。電灯線通信部１０６は、電灯線データ通信の際、自身のデータ伝送装置１００固有の機器情報である機器ＩＤを他のデータ伝送装置１００に送出し、他のデータ伝送装置１００の機器ＩＤを他のデータ伝送装置１００から取得する。電灯線通信部１０６は、データ伝送装置１００に対応するＡＶ機器２００の固有の機器情報、例えば型番やシリアルナンバーをやりとりしてもよい。いずれの場合であっても、機器情報は、他の装置や機器間で重複しないものとする。電灯線通信部１０６は、電灯線ネットワーク内にて取得した他のデータ伝送装置１００の機器ＩＤを、機器ＩＤ保持部１０８に保持する。
【００１７】
赤外線受光部１１０は、リモートコントローラ１６により、ユーザからのＡＶデータの操作に関する指示を受け付け、その指示を後述の制御部１５０に送信する。赤外線送信部１１２は、赤外線受光部１１０で受け付けたユーザからの指示を、赤外線発光モジュール１８を介して、赤外線でＡＶ機器２００に送出する。他のＡＶ機器２００のＡＶデータの操作に関する指示であった場合、データ伝送装置１００は、無線部１０４を介して他のＡＶ機器２００に対応する他のデータ伝送装置１００の無線部１０４にその指示を転送する。
【００１８】
認証部１１４は、電灯線通信部１０６により電灯線ネットワーク内にて取得された他のデータ伝送装置の機器ＩＤに基づいて、無線データ通信を許可する他のデータ伝送装置を特定する。具体的には、認証部１１４は、機器ＩＤ保持部１０８に保持されている他のデータ伝送装置１００の機器ＩＤ群内に、電灯線データ通信の際に取得された他のデータ伝送装置１００の機器ＩＤと同一の機器ＩＤが存在するか否かに応じて、無線データ通信を許可する他のデータ伝送装置１００を特定する。認証部１１４は、無線データ通信を許可する他のデータ伝送装置１００を特定する特定部として動作してもよい。
【００１９】
無線データ通信はその性質上、同一の電灯線ネットワークに存在しないデータ伝送装置１００、例えば隣家のデータ伝送装置１００、に対して電波を送る可能性があり、第三者によるなりすましのリスクが高いため、無線データ通信の安全性が高いとは言えないことがある。そのため、機密性の高い閉域の電灯線ネットワークを利用することにより、無線データ通信を許可する相手を特定し、その特定された相手と無線データ通信を行うことは有意義である。
【００２０】
機器ＩＤは、電灯線ネットワーク内で一意に存在し、機密性の高い閉域の電灯線ネットワークの外部に漏れることは少ない。データ伝送装置１００は、そうした機器ＩＤを利用して、無線データ通信を許可する相手を特定することで、同一の電灯線ネットワーク内に存在しないデータ伝送装置との無線データ通信を抑制することができ、無線データ通信の安全性を高めることができる。
【００２１】
上述のごとく、データ伝送装置１００が機器ＩＤのやりとりを行うとき、機密性の高い閉域の電灯線ネットワークを利用するため、機器ＩＤが電灯線ネットワーク外部に漏れることは少ない。そのため、機器ＩＤ自体を暗号化する手間を省いたり、その暗号化処理のためのハードウエア規模やソフトウエア規模を削減したりすることができる。
【００２２】
無線データ通信を許可する相手を特定するとき、データ伝送装置１００は、取得した他のデータ伝送装置１００の機器ＩＤと機器ＩＤ保持部１０８に格納されている機器ＩＤ群とを比較すれば十分である。これにより、比較的簡便な方法で、無線データ通信の安全性を高めることができる。
【００２３】
暗号部１１６は、所定のアルゴリズム、例えばハッシュ関数を用いて、自身のデータ伝送装置１００の機器ＩＤに対して一つの共通鍵を生成する。共通鍵生成後、暗号部１１６は、その共通鍵を用いてＡＶデータを暗号化する。暗号部１１６は、電灯線ネットワーク内の、図１では不図示の分電盤の機器ＩＤに対して一つの共通鍵を生成してもよい。暗号部１１６は、内部に図示しない乱数生成部を設け、その乱数生成部により生成された乱数を機器ＩＤに連結させ、所定のアルゴリズムを施して、一つの共通鍵を生成してもよい。その乱数は分電盤が生成するものであってもよい。その乱数は、現在の日付であってもよい。ＡＶデータを暗号化することで、第三者からの盗聴を抑制することができ、無線データ通信の安全性を高めることができる。
【００２４】
復号部１１８は、共通鍵によって暗号化されたＡＶデータを、暗号化の際に用いられた、自身のデータ伝送装置１００の機器ＩＤをもとに生成された共通鍵を用いて復号化する。
【００２５】
制御部１５０は、ＡＶ入出力部１０２、無線部１０４、電灯線通信部１０６、赤外線受光部１１０、赤外線送信部１１２、認証部１１４、暗号部１１６および復号部１１８の各種機能を制御する。制御部１５０は、ＡＶ入出力部１０２により取得されたＡＶデータを無線部１０４に転送したり、無線部１０４により受信されたＡＶデータをＡＶ入出力部１０２に転送したりする。さらに、制御部１５０は、ＡＶ入出力部１０２により取得されたＡＶデータを暗号化するよう暗号部１１６を制御したり、無線部１０４により受信された暗号化されたＡＶデータを復号化するよう復号部１１８を制御したりする。
【００２６】
図２は、本実施の形態に係る制御部１５０の構成を示す。制御部１５０は、入出力制御部１５２と、中央制御部１５４と、無線制御部１５６と、切換部１５８と、電灯線通信制御部１６０とを備える。
【００２７】
入出力制御部１５２は、後述の中央制御部１５４より、他のデータ伝送装置１００へのＡＶデータの伝送指示があったとき、自身のデータ伝送装置１００に対応するＡＶ機器２００のＡＶデータを取得するよう、ＡＶ入出力部１０２を制御する。
【００２８】
無線制御部１５６は、後述の中央制御部１５４より、他のデータ伝送装置１００へのＡＶデータの送信指示があったとき、ＡＶ入出力部１０２により取得された自身のデータ伝送装置１００のＡＶデータを、無線で他のデータ伝送装置１００に送信するよう、無線部１０４を制御する。また、リモートコントローラ１６を介して、他のＡＶ機器２００のＡＶデータの操作に関するユーザからの指示があったとき、無線制御部１５６は、赤外線受光部１１０により受け付けたユーザからの指示を、無線で他のデータ伝送装置１００に転送するよう、無線部１０４を制御する。
【００２９】
電灯線通信制御部１６０は、電灯線データ通信の際、自身のデータ伝送装置１００の機器ＩＤを、電灯線ネットワーク内の他のデータ伝送装置１００に送信するよう、電灯線通信部１０６を制御する。
【００３０】
切換部１５８は、後述の中央制御部１５４からの指示にもとづいて、制御信号の出力先を、無線制御部１５６および電灯線通信制御部１６０のうち、いずれかに切換える。すなわち、無線データ通信でＡＶデータをやり取りする場合には、制御信号の出力先を無線制御部１５６に切換え、電灯線データ通信で機器ＩＤをやり取りする場合には、制御信号の出力先を電灯線通信制御部１６０に切換える。中央制御部１５４は、入出力制御部１５２、無線制御部１５６、切換部１５８および電灯線通信制御部１６０の各種機能を制御する。
【００３１】
図３の（ａ）は、第１のタイミングにおける切換部１５８内のスイッチＳＷの切換え状態を示し、図３の（ｂ）は、第２のタイミングにおける切換部１５８内のスイッチＳＷの切換え状態を示す。第１のタイミングとは、無線データ通信でＡＶデータをやりとりする場合を示し、第２のタイミングとは、電灯線データ通信で機器ＩＤをやりとりする場合を示す。図示のごとく、第１のタイミングでは、スイッチＳＷにより、中央制御部１５４からの制御信号の出力先が無線制御部１５６に切換えられているため、無線制御部１５６の制御が可能になる。同様に、第２のタイミングでは、電灯線通信制御部１６０の制御が可能になる。
【００３２】
図４は、データ伝送システム４０の一例を模式的に示す。データ伝送システム４０は、第１電灯線２２ａ〜第３電灯線２２ｃ、第１データ伝送装置１００ａ〜第３データ伝送装置１００ｃおよび分電盤２０を含む。家屋３０の１階部分には、分電盤２０、第１データ伝送装置１００ａ、および第１ＡＶ機器２００ａ、例えばビデオテープレコーダーが、２階部分には、第２データ伝送装置１００ｂ、および第２ＡＶ機器２００ｂ、例えばテレビジョン受像機が、３階部分には、第３データ伝送装置１００ｃ、および第３ＡＶ機器２００ｃ、例えばテレビジョン受像機が、備えられている。第１データ伝送装置１００ａ〜第３データ伝送装置１００ｃの第１電源プラグ１２ａ〜第３電源プラグ１２ｃは、それぞれ第１コンセント１４ａ〜第３コンセント１４ｃに差し込まれている。
【００３３】
分電盤２０は、第１データ伝送装置１００ａ〜第３データ伝送装置１００ｃからの、それぞれ、第１電灯線２２ａ〜第３電灯線２２ｃを集合し、それらと外部の電力線２４とを電気的に接続する。分電盤２０は、第１電灯線２２ａ〜第３電灯線２２ｃを集合させることで、閉域の電灯線ネットワークを構成する。ここで、第１データ伝送装置１００ａ〜第３データ伝送装置１００ｃや第１ＡＶ機器２００ａ〜第３ＡＶ機器２００ｃを含めて、閉域の電灯線ネットワークと呼んでもよい。分電盤２０は、第１データ伝送装置１００ａ〜第３データ伝送装置１００ｃ毎の機器ＩＤの外部の電力線２４への漏洩を遮断するフィルタを備える。これにより、機密性の高い閉域の電灯線ネットワークを実現でき、安全性の高い無線データ通信を実現できる。
【００３４】
図５は、図４における第１データ伝送装置１００ａと第２データ伝送装置１００ｂとの間の無線データ通信の一例を示す。前述のごとく、第１データ伝送装置１００ａおよび第１ＡＶ機器２００ａは、１階部分に備えられ、第２データ伝送装置１００ｂおよび第２ＡＶ機器２００ｂは、２階部分に備えられている。以下、図１と同等の構成には同じ符号を与え適宜説明を略す。
【００３５】
リモートコントローラ１６によるユーザからの指示により、第２データ伝送装置１００ｂ内の第２無線部１０４ｂから、第１データ伝送装置１００ａ内の第１無線部１０４ａにＡＶデータの操作に関する指示が転送される。第１制御部１５０ａは、その指示に基づき、第１データ伝送装置１００ａの外部に接続された第１ＡＶ機器２００ａにて、ＡＶデータの再生操作を行う。第１ＡＶ入出力部１０２ａは、第１ＡＶ機器２００ａにて再生されるＡＶデータを取得する。第１制御部１５０ａは、第１無線部１０４ａを介して第２無線部１０４ｂにＡＶデータを送る。第２ＡＶ入出力部１０２ｂは、取得したＡＶデータを第２ＡＶ機器２００ｂに出力する。これにより、１階部分の第１ＡＶ機器２００ａにて再生されるＡＶデータを２階部分の第２ＡＶ機器２００ｂの画面に出力させることができる。
【００３６】
図６は、本実施の形態に係るＡＶデータの伝送処理の流れを示す。第２データ伝送装置１００ｂの第２無線部１０４ｂは、電灯線ネットワーク内に探索信号を送出する（Ｓ１０）。第１データ伝送装置１００ａの第１無線部１０４ａは、無線データ通信が可能であれば、第２無線部１０４ｂに応答信号を送出する（Ｓ１２）。
【００３７】
第２データ伝送装置１００ｂの第２電灯線通信部１０６ｂは、閉域の電灯線ネットワークにて、第１データ伝送装置１００ａの第１電灯線通信部１０６ａに、自身の機器ＩＤを送出する（Ｓ１４）。第１認証部１１４ａは、第２電灯線通信部１０６ｂから送出された機器ＩＤが新規の機器ＩＤでない場合（Ｓ１６のＮ）、第１機器ＩＤ保持部１０８ａに保持されている機器ＩＤ群と比較する。同一の機器ＩＤが存在すれば、第２データ伝送装置１００ｂからの無線データ通信を許可する（Ｓ２０）。第２電灯線通信部１０６ｂから送出された機器ＩＤが新規のＩＤであれば（Ｓ１６のＹ）、第１電灯線通信部１０６ａは、第２電灯線通信部１０６ｂから送出された機器ＩＤを第１機器ＩＤ保持部１０８ａに保持し（Ｓ１８）、第１認証部１１４ａは、第２データ伝送装置１００ｂからの無線データ通信を許可する（Ｓ２０）。
【００３８】
第１データ伝送装置１００ａの第１電灯線通信部１０６ａは、電灯線ネットワークにて、第２データ伝送装置１００ｂの第２電灯線通信部１０６ｂに、自身の機器ＩＤを送出する（Ｓ２２）。第２認証部１１４ｂは、第１電灯線通信部１０６ａから送出された機器ＩＤが新規のＩＤでなければ（Ｓ２４のＮ）、第２機器ＩＤ保持部１０８ｂに保持されている機器ＩＤ群と比較する。群中に同一の機器ＩＤが存在すれば、第１データ伝送装置１００ａからの無線データ通信を許可する（Ｓ２８）。第１電灯線通信部１０６ａから送出された機器ＩＤが新規のＩＤであれば（Ｓ２４のＹ）、第２電灯線通信部１０６ｂは、第１電灯線通信部１０６ａから送出された機器ＩＤを第２機器ＩＤ保持部１０８ｂに保持し（Ｓ２６）、第１データ伝送装置１００ａからの無線データ通信を許可する（Ｓ２８）。
【００３９】
第２データ伝送装置１００ｂの第２赤外線受光部１１０ｂは、リモートコントローラ１６を介して、ユーザからのＡＶデータの伝送指示を受け付ける（Ｓ３０）。第２データ伝送装置１００ｂの第２無線部１０４ｂは、第２赤外線受光部１１０ｂにより受け付けたユーザからのＡＶデータの伝送指示を、第１データ伝送装置１００ａの第１無線部１０４ａに送信する（Ｓ３２）。送信前に、第２データ伝送装置１００ｂの第２無線部１０４ｂは、探索処理により、現在でも第１データ伝送装置１００ａが無線データ通信の可能な状態であるか否かを確認してもよい。
【００４０】
第１データ伝送装置１００ａの第１暗号部１１６ａは、自身の機器ＩＤをもとに生成された共通鍵でＡＶデータを暗号化する（Ｓ３４）。第１データ伝送装置１００ａの第１無線部１０４ａは、第１暗号部１１６ａにより暗号化されたＡＶデータを、第２データ伝送装置１００ｂの第２無線部１０４ｂに伝送する（Ｓ３６）。
【００４１】
第２データ伝送装置１００ｂの第２復号部１１８ｂは、伝送相手の第１データ伝送装置１００ａの機器ＩＤをもとに生成された共通鍵を用いて、暗号化されたＡＶデータを復号化する（Ｓ３８）。第２データ伝送装置１００ｂの第２ＡＶ入出力部１０２ｂは、第２復号部１１８ｂにより復号化されたＡＶデータを第２ＡＶ機器２００ｂに出力する（Ｓ４０）。
【００４２】
実施の形態２
実施の形態２が実施の形態１と異なるのは、無線で上述の探索処理を行うのではなく、電灯線ネットワーク内にて探索処理を行う点である。このとき、電灯線通信部１０６は、図１における無線部１０４が有する探索処理機能を備える。
【００４３】
電灯線通信部１０６は、電灯線ネットワーク内での探索処理の際、自身のデータ伝送装置１００の機器ＩＤを含む探索信号を送出する。電灯線通信部１０６は、一定時間内に他のデータ伝送装置１００からの応答信号があれば、応答信号に含まれる他のデータ伝送装置１００の機器ＩＤを機器ＩＤ保持部１０８に保持する。一定時間内に他のデータ伝送装置１００からの応答信号がなかった場合、電灯線通信部１０６は、応答のないデータ伝送装置１００の機器ＩＤを機器ＩＤ保持部１０８に保持された機器ＩＤ群から削除する。このように、探索処理を機密性の高い閉域の電灯線ネットワーク内にて行うことで、探索処理の安全性を高めることができる。
【００４４】
図７は、本実施の形態に係るＡＶデータの伝送処理の流れを示す。第２データ伝送装置１００ｂの第２電灯線通信部１０６ｂは、電灯線ネットワーク内に、自身の第２データ伝送装置１００ｂの機器ＩＤを含む探索信号を送出する（Ｓ５２）。
【００４５】
第１認証部１１４ａは、第２電灯線通信部１０６ｂから送出された機器ＩＤが新規の機器ＩＤでない場合（Ｓ５４のＮ）、第１機器ＩＤ保持部１０８ａに保持されている機器ＩＤ群と比較する。群中に同一の機器ＩＤが存在すれば、第２データ伝送装置１００ｂからの無線データ通信を許可する（Ｓ５８）。第２電灯線通信部１０６ｂから送出された機器ＩＤが新規のＩＤであれば（Ｓ５４のＹ）、第１電灯線通信部１０６ａは、第２電灯線通信部１０６ｂから送出された機器ＩＤを第１機器ＩＤ保持部１０８ａに保持し（Ｓ５６）、第１認証部１１４ａは、第２データ伝送装置１００ｂからの無線データ通信を許可する（Ｓ５８）。
【００４６】
第１データ伝送装置１００ａの第１電灯線通信部１０６ａは、電灯線ネットワーク内にて、第２データ伝送装置１００ｂの第２電灯線通信部１０６ｂに、自身の機器ＩＤを送出する（Ｓ６０）。第２データ伝送装置１００ｂの第２電灯線通信部１０６ｂは、一定時間内に機器ＩＤを取得しなかった場合（Ｓ６２のＮ）、第２機器ＩＤ保持部１０８ｂに保持されている機器ＩＤ群中の機器ＩＤを削除する（Ｓ６４）。一定時間内に機器ＩＤを取得した場合（Ｓ６２のＹ）、上述の削除は行わない。
【００４７】
第２認証部１１４ｂは、第１電灯線通信部１０６ａから送出された機器ＩＤが新規のＩＤでなければ（Ｓ６６のＮ）、第２機器ＩＤ保持部１０８ｂに保持されている機器ＩＤ群と比較し、群中に同一の機器ＩＤが存在すれば、第１データ伝送装置１００ａからの無線データ通信を許可する（Ｓ７０）。第１電灯線通信部１０６ａから送出された機器ＩＤが新規のＩＤであれば（Ｓ６６のＹ）、第２電灯線通信部１０６ｂは、第１電灯線通信部１０６ａから送出された機器ＩＤを第２機器ＩＤ保持部１０８ｂに保持し（Ｓ６８）、第１データ伝送装置１００ａからの無線データ通信を許可する（Ｓ７０）。
【００４８】
第２データ伝送装置１００ｂの第２赤外線受光部１１０ｂは、リモートコントローラ１６を介して、ユーザからのＡＶデータの伝送指示を受け付ける（Ｓ７２）。第２データ伝送装置１００ｂの第２無線部１０４ｂは、第２赤外線受光部１１０ｂにより受け付けたユーザからのＡＶデータの操作に関する指示を、第１データ伝送装置１００ａの第１無線部１０４ａに送信する（Ｓ７４）。送信前に、第２データ伝送装置１００ｂの第２電灯線通信部１０６ｂは、探索処理により、現在でも第１データ伝送装置１００ａが無線データ通信の可能な状態であるか否かを確認してもよい。
【００４９】
第１データ伝送装置１００ａの第１暗号部１１６ａは、自身の機器ＩＤをもとに生成された共通鍵でＡＶデータを暗号化する（Ｓ７６）。第１データ伝送装置１００ａの第１無線部１０４ａは、第１暗号部１１６ａにより暗号化されたＡＶデータを、第２データ伝送装置１００ｂの第２無線部１０４ｂに伝送する（Ｓ７８）。
【００５０】
第２データ伝送装置１００ｂの第２復号部１１８ｂは、伝送相手の第１データ伝送装置１００ａの機器ＩＤをもとに生成された共通鍵を用いて、暗号化されたＡＶデータを復号化する（Ｓ８０）。第２データ伝送装置１００ｂの第２ＡＶ入出力部１０２ｂは、第２復号部１１８ｂにより復号化されたＡＶデータを第２ＡＶ機器２００ｂに出力する（Ｓ８２）。
【００５１】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【図面の簡単な説明】
【００５２】
【図１】実施の形態１に係るデータ伝送装置の構成を示す図である。
【図２】実施の形態１に係る制御部の構成を示す図である。
【図３】図３の（ａ）は、第１のタイミングにおける切換部内のスイッチの切換え状態を示す図であり、図３の（ｂ）は、第２のタイミングにおける切換部内のスイッチの切換え状態を示す図である。
【図４】データ伝送システムの一例を模式的に示す図である。
【図５】第１データ伝送装置と第２データ伝送装置との間の無線データ通信の一例を示す図である。
【図６】実施の形態１に係るＡＶデータの伝送処理の流れを示す図である。
【図７】実施の形態２に係るＡＶデータの伝送処理の流れを示す図である。
【符号の説明】
【００５３】
２０  分電盤、２２ａ〜２２ｃ  第１電灯線〜第３電灯線、２４  外部の電力線、４０  データ伝送システム、１００  データ伝送装置、１０４  無線部、１０６  電灯線通信部、１０８  機器ＩＤ保持部、１１４  認証部。
【図１】
2005341094.tif 000003
【図２】
2005341094.tif 000004
【図３】
2005341094.tif 000005
【図４】
2005341094.tif 000006
【図５】
2005341094.tif 000007
【図６】
2005341094.tif 000008
【図７】
2005341094.tif 000009